(57)【要約】      （修正有）【課題】より強固でより耐久性・耐候性のあるブロック塀造成に役に立つ建築資材として、十分な強度を有するコンクリートブロックを安価に提供する。【解決手段】ＪＩＳ規格品、建築用空洞コンクリートブロックに準じた構造のコンクリートブロックで、空洞部すべてにモルタルを穴埋めできるブロックを安価に提供する。また、本ブロックを使い、縦鉄筋・横鉄筋を施し全空洞部にモルタルを詰めることで、強固で耐久性・耐候性に優れたブロック塀を施工できる。【選択図】図１
0003157976.tif 000002
【実用新案登録請求の範囲】
【請求項１】
ＪＩＳ規格品の建築用空洞コンクリートブロック基本型に，準じた構造のコンクリートブロックで，結合部すべてにフェイスシェルに対して，平行に切り欠け溝を持つが，切り欠け溝両側に，結合部上部のウェブ部分を，残した形状を特徴とする，空洞部穴埋め施工用コンクリートブロック。
【請求項２】
ＪＩＳ規格品の建築用空洞コンクリートブロック隅型に，準じた構造のコンクリートブロックで，結合部すべてにフェイスシェルに対して，平行に切り欠け溝を持つが，切り欠け溝両側に，結合部上部のウェブ部分を，残した形状を特徴とする，空洞部穴埋め施工用コンクリートブロック。
【請求項３】
前項記載の平行な切り欠け溝は，四角型・台形・三角形・半月型・Ｕ字型であることを特徴とする請求項１又は，請求項２に記載の空洞部穴埋め施工用コンクリートブロック
【請求項４】
ＪＩＳ規格品の建築用空洞コンクリートブロック基本型に，準じた構造のコンクリートブロックで，結合部すべてにフェイスシェルに対して，平行な２線以上の切り込みを持つが，平行な２線以上の外側に，結合部上部のウェブ部分を，残した形状を特徴とする，空洞部穴埋め施工用コンクリートブロック。
【請求項５】
ＪＩＳ規格品の建築用空洞コンクリートブロック隅型に，準じた構造のコンクリートブロックで，結合部すべてにフェイスシェルに対して，平行な２線以上の切り込みを持つが，平行な２線以上の外側に，結合部上部のウェブ部分を，残した形状を特徴とする，空洞部穴埋め施工用コンクリートブロック。
【考案の詳細な説明】
【技術分野】
【０００１】本考案はブロック塀などの資材として使用される空洞コンクリートブロックに関するものである。【０００２】本考案は，ブロック塀の造作において，ブロック塀の欠陥をなくすのに従来より使用されている，ＪＩＳ規格品の建築用空洞コンクリートブロックに類似した構造を持つ，コンクリートブロックに関するものである。
【背景技術】
【０００３】ブロック塀は，以下のように施工される。まず，基礎工事で始めに床堀が行われる，クリ石や砂利が敷かれ，機械により打ち固められて次に基礎部鉄筋工事が行われる。【０００４】その際，縦鉄筋（異型鉄筋）をブロック幅１個分若しくは，２個分の間隔で，基礎部の鉄筋に結束線で結ばれ，基礎部より立ち上げ，スペーサーブロックなどを使用して浮かして，組まれる。【０００５】そしてコンクリートを打ち基礎部を施工する。基礎部を造成したのち，その上にモルタルを置き，ＪＩＳ規格品の建築用空洞コンクリートブロック基本型５０（図９）の接続部にモルタルを置き，ブロックの空洞のある面を上下として，各々ブロックの接続孔の中心に縦鉄筋がくるようにし，水平に並ぶように積んだ後，更に積み上げるという作業が，繰り返され，ブロック塀として，完成される。【０００６】ブロック塀の縦方向の強度を保つため，接続孔にモルタルを穴埋めする。この際塀面が，鉛直となるように，また，平面性を保つように注意を払われる。【０００７】上下のブロックの接着は，フェイスシェル１１（図９）に沿って，ウェブ１４（図９）部分の手前と奥に幅約２５ｍｍ，厚さ約１０ｍｍのモルタルで，接着している。【０００８】ブロック塀の，横方向の，強度を保つため，横鉄筋３３（図１３）を，ブロック３段〜４段以内に１箇所入れなければならないが，ＪＩＳ規格品の建築用空洞コンクリートブロック基本型５０（図９）では，横方向に鉄筋を入れることはできない。【０００９】横鉄筋を挿入するには，ＪＩＳ規格品の建築用空洞コンクリートブロック横筋型６０（図１０）６０（図１２）を使用する，横筋用ブロックの空洞部を下にし，溝を上にして，溝に鉄筋を挿入し，モルタルで穴埋めする。【００１０】ＪＩＳ規格品の建築用空洞コンクリートブロック横筋型の，下部の空洞部分は，横鉄筋を挿入する溝に貫通していないため，溝より下の空洞部は，空洞部として，残される。６０（図１０）【００１１】なお，ＪＩＳ規格品の建築用空洞コンクリートブロックは，主に，基本型・横筋型・隅型・横筋隅型で，長さ・高さ・厚さについて規制されている。寸法は，長さ３９０ｍｍ・高さ１９０ｍｍで，厚さは，１００ｍｍ・１２０ｍｍ・１５０ｍｍ・１９０ｍｍである。【００１２】ほかには，透かしブロック・かさ木ブロックがあり，ブロック塀外観の美観を重要視される場合は，ブロックの表面を化粧した，いわゆる化粧ブロックがある。
【考案の開示】
【考案が解決しようとする課題】
【００１３】概に知られているＪＩＳ規格品の建築用空洞コンクリートブロックを使用した，従来のブロック塀の欠陥を解決することを目的とするが，解決しようとするブロック塀の欠陥を下記に記す。【００１４】工事中に雨や雪が降り雨や雪が造作中のブロック塀などの空洞部に入り込み，工事終了後も空洞部に残った水が，水の凍結で，ひびやクラック（破壊）が入る。【００１５】塀内部に空洞があるため，車が通る時の振動や地震でなどで，ひびやクラック（破壊）が入りやすい。また，塀内部に空洞があるため，空洞部の手前表面フェイスシェル部分が，衝撃などにより破損しやすい。【００１６】ブロック塀の一部が地中にあるか，一部土留めに使用されている場合，土中にある水分が，ブロック塀に浸透しやすいため，空洞部に水がたまりやすい。【００１７】ひびやクラック（破壊）部より，雨水などが入り，空洞部に水がたまりやすい。【００１８】コンクリートブロックは，雨水などが浸透しやすいため，空洞部に水がたまりやすい。【００１９】ブロック塀の空洞部の水が，石灰分を溶け出させたり中性化を早めたり，また空洞部の水がブロック塀内部に挿入している鉄筋をさびさせ，鉄筋が腐食して朽ち果てていることもあり，鉄さびの膨張によりフェイスシェル部分をクラック（破壊）させ，ブロック塀の寿命を縮めている。【００２０】また，日が余り差さないブロック塀は，化粧ブロック塀ともに，空洞部の水が，晴れた日でも，ブロック塀の表面が濡（ぬ）れている状態になり，黒カビやシミを作り，ブロック塀の美観を著しく損なっている。【００２１】地震や，ブロック塀の劣化による倒壊事故による負傷や，死亡事故がある。ブロック塀を造作する場合，ブロック塀の欠陥をふまえ，欠陥をなくしたブロック塀を造作することにより，そのような事故を減らせると確信する。【００２２】なお一例を挙げると，１９７８年の宮城沖地震では，地震により６割以上（１８人）が，ブロック塀の下敷きにより死亡している。【００２３】上記の欠陥をなくしたブロック塀を，施工するには，空洞部をモルタルなどで埋めることであるが，概に知られている建築空洞コンクリートブロックではできない。だが，ＪＩＳ規格品の建築用空洞コンクリートブロック基本型では穴埋めできるが，水平に鉄筋を挿入できないため，逆に地震や振動に弱いブロック塀になる。【００２４】では，空洞部に穴埋めでき，水平に鉄筋が挿入できるようにするには，このＪＩＳ規格品の建築用空洞コンクリートブロック基本型を使用して加工すると想定して下記に記す。【００２５】通常は，ブロック塀工事を行う場所（工事現場）に，販売する建材店がコンクリートブロックを搬入するので，工事現場で加工する。加工場所は，住宅街である場合が多い，そのため工事現場では，騒音問題，石ぼこりの問題が発生する。【００２６】なぜならば，ＪＩＳ規格品の建築用空洞コンクリートブロック基本型を使用し，電動ベビーサンダー＋ダイヤモンドカッターを使い，ブロック上部のウェブ部分より，中間結合部すべてにフェイスシェルに対して，平行に２線の切り込みを入れ，入り込みと切り込みの間をハンマーなどで打ち割り，水平に鉄筋の入る溝を形成する。【００２７】加工には，電動ベビーサンダー＋ダイヤモンドカッターを使用するので，加工作業は，大変危険である。【００２８】また，加工にかかる費用を試算してみると，ブロックの移動及び加工に一時間２５個加工できるとして，１日８時間とし，製作数は，２００個として仮定する，作業員の日当は，１２０００円として試算してみると，加工手間代だけでも１個６０円かかる。そして別に，加工する費用として，工具の損料・電気代・石ぼこり対策費などがかかる。
【課題を解決するための手段】
【００２９】本考案は，上記における欠陥を克服するために，ＪＩＳ規格品の建築用空洞コンクリートブロックに類似した構造を採用し，より強固でより耐久性・耐候性のあるブロック塀造成に役に立つ建築資材として，また，十分な強度を有するコンクリートブロックを安価に提供することである。
【考案の効果】
【００３０】  本考案は，コンクリートブロックを特殊な設計をするのではなく，基本的には，ＪＩＳ規格品，建築用空洞コンクリートブロックに類似した構造を採用したことにより，ほぼ，従来のブロック塀の施工方法をするが，縦鉄筋・横鉄筋を施工して，空洞部にモルタルで，穴埋めできることにより，空洞があるための欠陥をなくし，従来のブロック塀に比べて，はるかに強固で，耐久性・耐候性のあるブロック塀を造成できる。【００３１】なお，従来のブロック塀を造作する場合，主にＪＩＳ規格品の建築用空洞コンクリートブロックの基本型・横筋型・隅型・隅横筋型の４種類を使用するが，空洞部穴埋め施工のブロック塀の場合は，空洞部穴埋め施工用コンクリートブロックの基本型１０（図１）・隅型３０（図７）の２種類であるため，従来のブロック塀を造作する場合の半分の種類で施工できる。
【図面の簡単な説明】
【００３２】
【図１】  本考案の基本型を示す斜視図。
【図２】  ａは，本考案の基本型の上部より見た平面図。ｂは，本考案の基本型の接続部より見た側面図。
【図３】  本考案の基本型を示す別の実施例の斜視図。
【図４】  ａは，本考案の基本型の示す別の実施例を上部より見た平面図。ｂは，本考案の基本型の示す別の実施例を接続部より見た側面図。
【図５】  本考案の基本型に横鉄筋・縦鉄筋を挿入したブロック組積を説明する斜視図
【図６】  本考案の基本型使用の断面図。
【図７】  ａは，本考案の隅型の上部より見た平面図。ｂは，本考案の隅型の接続部より見た側面図。
【図８】  ａは，本考案の隅型の示す別の実施例を上部より見た平面図。ｂは，本考案の隅型の示す別の実施例を接続部より見た側面図。
【図９】  従来の基本型に縦鉄筋を挿入したブロック組積を説明する斜視図
【図１０】  従来の基本型・横筋型使用の断面図。
【図１１】  ＪＩＳ規格品の建築用空洞コンクリートブロック基本型に縦鉄筋挿入図
【図１２】  ＪＩＳ規格品の建築用空洞コンクリートブロック横筋型に縦鉄筋挿入図
【図１３】  横筋型に横鉄筋挿入図
【実地例】
【００３３】以下，添付図に従って一実地例を説明する。
【００３４】１０（図１）は，本考案の，空洞部穴埋め施工用コンクリートブロックである。ＪＩＳ規格品の建築用空洞コンクリートブロックに，準じた構造の，コンクリートブロックで，結合部１３（図１）すべてに，フェイスシェル１１（図１）に対して平行に，切り欠け溝１５（図１）を持つが，切り欠け溝両側に，結合部上部のウェブ部分１４（図１）を，残した形状を特徴とする。
【００３５】切り欠け溝の形は，図が示した１５（図１）四角形に限らず，台形・三角形・半月型・Ｕ字型の形があり，切り欠け溝両側に，結合部上部のウェブ部分１４（図１）を残す事により，空洞部穴埋め施工用コンクリートブロックの強度を保つ。
【００３６】また，本考案の示す別の実施例２０（図３）として，結合部１３（図３）すべてに，フェイスシェルに対して，平行な２線以上の切り込み２１（図３）を持つブロック２０（図３）は，空洞部穴埋め施工用コンクリートブロックとして施工する場合，切り込みの間をハンマーなどで打ち割り，切り欠け溝を作り使用する。
【００３７】本考案のコンクリートブロック２０（図３）を，そのままの形状で使用する場合は，建築用空洞コンクリートブロック基本型５０（図９）としても使用できる。
【００３８】また，空洞部穴埋め施工用コンクリートブロック３０（図７）と別の実施例４０（図８）は，コーナー・エンド部に使用する本考案のコンクリートブロックである。
【産業上の利用可能性】
【００３９】本考案の空洞部穴埋め施工用コンクリートブロックは，ブロック塀などに使用される基本的な建築資材であるので，産業上の利用価値は，極めて高いものである。【００４０】本考案の空洞部穴埋め施工用コンクリートブロックは，ＪＩＳ規格品の建築用空洞コンクリートブロックの構造を採用し，従来のブロック塀に比べ，より強固で，より耐久性・耐候性のあるブロック塀の造成に役立つ建築資材として，また，コンクリートブロックとしても，強固であるから，災害の防止に役立つものである。【００４１】本考案の空洞部穴埋め施工用コンクリートブロックは，ＪＩＳ規格品の建築用空洞コンクリーブロックの構造を採用しているため，生産するに，ＪＩＳ規格品の建築用空洞コンクリートブロック工場施設での最小の資本投入で生産できるので，安価に提供できる。
【符号の説明】
【００４２】１０  空洞部穴埋め施工用コンクリートブロック基本型
１１  フェイスシェル
１２  接続部
１３  結合部
１４  ウェブ
１５  切り欠け溝
１６  空洞孔（空洞部）
１７  コーナーエンド部
２０  空洞部穴埋め施工用コンクリートブロック基本型，別の実地例
２１  切り込み
３０  空洞部穴埋め施工用コンクリートブロック隅型
３１  目地
３２  縦鉄筋
３３  横鉄筋
３４  空洞孔（空洞部）のモルタル
３５  切り欠け溝のモルタル
３６  接続孔のモルタル
４０  空洞部穴埋め施工用コンクリートブロック隅型，別の実地例
４１  基礎鉄筋
４２  クリ石
４３  砂利
４４  コンクリート基礎
５０  ＪＩＳ規格品の建築用空洞コンクリートブロック基本型
６０  ＪＩＳ規格品の建築用空洞コンクリートブロック横筋型
６１  横筋溝
６２  横筋溝のモルタル
【図１】
0003157976.tif 000003
【図２】
0003157976.tif 000004
【図３】
0003157976.tif 000005
【図４】
0003157976.tif 000006
【図５】
0003157976.tif 000007
【図６】
0003157976.tif 000008
【図７】
0003157976.tif 000009
【図８】
0003157976.tif 000010
【図０９】
0003157976.tif 000011
【図１０】
0003157976.tif 000012
【図１１】
0003157976.tif 000013
【図１２】
0003157976.tif 000014
【図１３】
0003157976.tif 000015
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
結合部すべてにフェイスシェルに対して，平行に切り欠け溝を持つが，切り欠け溝両側に，結合部上部のウェブ部分を，残した形状を特徴とする，空洞部穴埋め施工用コンクリートブロック。
【請求項２】
前記、平行な切り欠け溝は，結合部に、四角型・台形・三角形・半月型・Ｕ字型の溝であることを特徴とする請求項１に記載の空洞部穴埋め施工用コンクリートブロック